(57)【特許請求の範囲】
【請求項１】
本体部と、
前記本体部に対して揺動軸心周りで揺動可能にヒンジによって連結され、前記本体部の上面を覆う閉鎖位置と、前記上面を露出させる開放位置とに変位可能な開閉部と、
前記開閉部に設けられ、シートを所定の搬送経路に沿って搬送する搬送部と、
前記開閉部に設けられ、前記搬送部によって搬送されるシートの第１面の画像を読み取る第１読取部と、
前記本体部の前記上面に開口する開口部と、
一端部が前記第１読取部に接続され、中間部が前記開口部に挿通され、他端部が前記本体部内に配線されるフラットケーブルと、
前記開口部に取り付けられ、前記フラットケーブルの前記中間部の少なくとも一部を保持するホルダと、
前記本体部の前記上面における前記開口部を囲む位置に設けられ、前記上面に対して下向きに凹む溝部と、
前記開閉部内に設けられ、前記搬送部を構成する搬送用電気部品と、
一端部が前記搬送用電気部品に接続され、中間部が前記開口部に挿通され、他端部が前記本体部内に配線されるハーネスと、を備え、
前記ホルダには、前記ハーネスの前記中間部の少なくとも一部を保持する第２保持部が形成されていることを特徴とする画像読取装置。
【請求項２】
前記溝部は、前記本体部内に向かって開放された孔又は開放端からなる開放部を有し、
前記開放部に隣接する位置から前記本体部内に向かって延びる案内部をさらに備えている請求項１記載の画像読取装置。
【請求項３】
前記案内部は、前記ホルダに形成され、前記溝部の前記開放部と前記フラットケーブルとの間を遮る位置で下向きに延在する第１壁部を含んでいる請求項２記載の画像読取装置。
【請求項４】
前記第１壁部は、前記揺動軸心と交差する第１方向に延設されており、
前記第１壁部は、前記揺動軸心から前記第１方向に離間した位置にある端部に、上下方向に延びる端縁を含み、
前記本体部における前記開口部の周縁よりも下側に位置する部分には、前記ホルダが前記開口部に取り付けられた状態で、前記端縁に前記第１方向において対向する第２壁部が形成されている請求項３記載の画像読取装置。
【請求項５】
前記本体部における前記開口部の周縁よりも下側に位置する部分には、前記第１方向に延設された第３壁部が形成され、
前記第３壁部は、前記ホルダが前記開口部に取り付けられた状態で、前記第１壁部に前記揺動軸心方向において対向し、
前記第２壁部は、前記第３壁部から前記揺動軸心方向に突出し、かつ上下方向に延びている請求項４記載の画像読取装置。
【請求項６】
前記ホルダには、弾性変形可能に下向きに突出する係合片が形成され、
前記本体部における前記開口部の周辺には、被係合部が設けられ、
前記ホルダは、前記係合片が前記被係合部に対して係合及び離間することにより、前記開口部に対して着脱可能に取り付けられ、
前記係合片は、前記溝部の前記開放部に隣接する位置で下向きに突出し、前記案内部として機能する請求項２乃至５のいずれか１項記載の画像読取装置。
【請求項７】
前記案内部は、前記揺動軸心方向において、前記フラットケーブルを挟んで前記ヒンジとは反対側に配置されている請求項２乃至６のいずれか１項記載の画像読取装置。
【請求項８】
前記ホルダには、前記フラットケーブルの前記中間部に下向きの湾曲部分を形成させた状態で前記中間部を保持する第１保持部と、
前記湾曲部分に下側から当接可能な受け部と、が形成されている請求項１乃至７のいずれか１項記載の画像読取装置。
【請求項９】
前記ホルダには、前記開口部に取り付けられた状態で、前記本体部の前記上面と面一に形成され、前記開口部の少なくとも一部を覆うとともに、前記溝部の少なくとも一部を覆う平坦面が形成されている請求項１乃至８のいずれか１項記載の画像読取装置。
【請求項１０】
前記本体部の前記上面には、原稿を支持する支持面が形成され、
前記本体部内に設けられ、前記支持面に支持された原稿の画像を読み取るとともに、前記搬送部によって搬送されるシートの前記第１面とは反対側の第２面の画像を読み取る第２読取部をさらに備えている請求項１乃至９のいずれか１項記載の画像読取装置。
【請求項１１】
読取部を収容する本体部と、
前記本体部に対して揺動軸心周りで揺動可能にヒンジによって連結され、前記本体部の上面を覆う閉鎖位置と、前記上面を露出させる開放位置とに変位可能な開閉部と、
前記開閉部に設けられる電気部品と、
前記本体部の前記上面に開口する開口部と、
一端部が前記電気部品に接続され、中間部が前記開口部に挿通され、他端部が前記本体部内に配線されるフラットケーブルと、
前記開口部に取り付けられ、前記フラットケーブルの前記中間部の少なくとも一部を保持するホルダと、
前記本体部の前記上面における前記開口部を囲む位置に設けられ、前記上面に対して下向きに凹む溝部と、
前記本体部及び前記ホルダの少なくとも一方に設けられて、前記溝部側から下向きに延びて、前記溝部に溜まる液体を下方に案内可能な案内部と、を備えていることを特徴とする画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部、開閉部、搬送部及び読取部を備えている。開閉部は、本体部に対して揺動軸心周りで揺動可能にヒンジによって連結されている。開閉部は、本体部の上面を覆う閉鎖位置と、本体部の上面を露出させる開放位置とに変位可能である。搬送部は、開閉部に設けられている。搬送部は、シートを所定の搬送経路に沿って搬送する。読取部は、開閉部に設けられている。読取部は、搬送部によって搬送されるシートの第１面の画像を読み取る。
【０００３】
また、この画像読取装置は、開口部、フラットケーブル及びホルダを備えている。開口部は、本体部の上面に開口している。フラットケーブルは、一端部が読取部に接続され、中間部が開口部に挿通され、他端部が本体部内に配線されている。ホルダは、開口部に取り付けられている。ホルダは、フラットケーブルの中間部の一部を保持している。
【先行技術文献】
【特許文献】
【０００４】
【特許文献１】特許第４９４７１７８号公報
【発明の概要】
【発明が解決しようとする課題】
【０００５】
ところで、上記従来の画像読取装置では、例えば、開閉部が開放位置にある状態で、上方から本体部の上面に液体がこぼれて広がる場合がある。また、開閉部が閉鎖位置にある状態でも、上方から開閉部に液体がこぼれて、開閉部と本体部との隙間から本体部の上面にその液体が広がる場合がある。これらの場合、その液体が開口部とホルダとの隙間から本体部内に浸入し、フラットケーブルの中間部に到達するおそれがある。そして、その液体がフラットケーブルを伝って本体部内にまで到達した場合、本体部内に設けられている電気部品等の液体に弱い部品が故障するおそれがある。
【０００６】
本発明は、上記従来の実情に鑑みてなされたものであって、本体部の上面に広がる液体が本体部の上面に設けられる開口部とホルダとの隙間から入り込み、その液体がフラットケーブルを伝って本体部内に到達し、本体部内の液体に弱い部品等が故障をすることを防止できる画像読取装置を提供することを目的とする。
【課題を解決するための手段】
【０００７】
本発明の画像読取装置は、本体部と、
前記本体部に対して揺動軸心周りで揺動可能にヒンジによって連結され、前記本体部の上面を覆う閉鎖位置と、前記上面を露出させる開放位置とに変位可能な開閉部と、
前記開閉部に設けられ、シートを所定の搬送経路に沿って搬送する搬送部と、
前記開閉部に設けられ、前記搬送部によって搬送されるシートの第１面の画像を読み取る第１読取部と、
前記本体部の前記上面に開口する開口部と、
一端部が前記第１読取部に接続され、中間部が前記開口部に挿通され、他端部が前記本体部内に配線されるフラットケーブルと、
前記開口部に取り付けられ、前記フラットケーブルの前記中間部の少なくとも一部を保持するホルダと、
前記本体部の前記上面における前記開口部を囲む位置に設けられ、前記上面に対して下向きに凹む溝部と、を備えていることを特徴とする。
【０００８】
本発明の画像読取装置では、本体部の上面における開口部を囲む位置に溝部が設けられ、その溝部が上面に対して下向きに凹んでいる。このため、液体が本体部の上面に広がる場合でも、その液体が開口部とホルダとの隙間から本体部内に浸入する前に、その液体を溝部に溜めることができる。
【０００９】
したがって、本発明の画像読取装置では、本体部の上面に広がる液体が本体部の上面に設けられる開口部とホルダとの隙間から、開口部に挿通されるフラットケーブルに到達することを抑制できる。その結果、この画像読取装置では、本体部の上面に広がる液体がフラットケーブルを伝って本体部内に到達し、本体部内の液体に弱い部品等が故障をすることを防止できる。
【００１０】
また、本発明の別の画像読取装置は、読取部を収容する本体部と、
前記本体部に対して揺動軸心周りで揺動可能にヒンジによって連結され、前記本体部の上面を覆う閉鎖位置と、前記上面を露出させる開放位置とに変位可能な開閉部と、
前記開閉部に設けられる電気部品と、
前記本体部の前記上面に開口する開口部と、
一端部が前記電気部品に接続され、中間部が前記開口部に挿通され、他端部が前記本体部内に配線されるフラットケーブルと、
前記開口部に取り付けられ、前記フラットケーブルの前記中間部の少なくとも一部を保持するホルダと、
前記本体部の前記上面における前記開口部を囲む位置に設けられ、前記上面に対して下向きに凹む溝部と、を備えていることを特徴とする。
【００１１】
本発明の別の画像読取装置においても、上記と同様の作用効果を奏することができる。
【図面の簡単な説明】
【００１２】
【図１】実施例の画像読取装置の斜視図である。
【図２】実施例の画像読取装置の模式正面図である。
【図３】実施例の画像読取装置の斜視図である。
【図４】実施例の画像読取装置の模式背面図である。
【図５】実施例の画像読取装置の部分拡大斜視図である。
【図６】実施例の画像読取装置の部分拡大上面図である。
【図７】開口部からホルダを取り外した状態を示す部分拡大斜視図である。
【図８】開口部からホルダを取り外した状態を示す部分拡大斜視図である。
【図９】ホルダの斜視図である。
【図１０】ホルダの斜視図である。
【図１１】ホルダの斜視図である。
【図１２】図６のＡ−Ａ断面を示す部分断面図である。
【図１３】図６のＢ−Ｂ断面を示す部分断面図である。
【図１４】図６のＣ−Ｃ断面を示す部分断面図である。
【発明を実施するための形態】
【００１３】
以下、本発明を具体化した実施例を図面を参照しつつ説明する。
【００１４】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１５】
＜全体構成＞
図１〜図４に示すように、画像読取装置１は、本体部８、開閉部９、画像形成ユニット５、読取ユニット３及び搬送部４を備えている。本体部８は略箱状体であり、その下側部分に対して、その上側部分が左側と右側とに向かって膨出している。図１に示すように、本体部８の前面には、タッチパネル等である操作パネル８Ｐが設けられている。
【００１６】
図２及び図３に示すように、画像読取装置１は、制御基板Ｃ１を備えている。制御基板Ｃ１は、本体部８の下側部分の内部において、左側面に沿って上下方向に延設されている。制御基板Ｃ１は、ＣＰＵ等からなる制御回路であり、ＲＯＭ及びＲＡＭ等の情報記憶手段に記憶されている各種情報を用いながら、画像形成ユニット５、読取ユニット３、搬送部４及び操作パネル８Ｐ等を制御する。
【００１７】
図２に示すように、画像形成ユニット５は、本体部８の下側部分に設けられている。画像形成ユニット５は、インクジェット方式又はレーザ方式等によりシートに画像を形成する。
【００１８】
図２に示すように、読取ユニット３は、本体部８の上側部分であって、左側と右側とに向かって膨出している部分に設けられている。図３に示すように、本体部８の上面８Ａには、第１プラテンガラス８１、第２プラテンガラス８２及び枠体８Ｗが配設されている。
【００１９】
第１プラテンガラス８１の上面によって、支持面８１Ａが形成されている。支持面８１Ａは、静止した状態の原稿の画像を図２に示す読取ユニット３が読み取る際に、その原稿を下側から支持する。読取対象の原稿には、用紙、ＯＨＰシート等であるシートの他、書籍等が含まれる。
【００２０】
図３に示すように、第２プラテンガラス８２は、第１プラテンガラス８１の左側に位置して前後方向に細長く延びている。第２プラテンガラス８２の上面によって、読取面８２Ａが形成されている。読取面８２Ａは、図２に示す搬送部４によって１枚ずつ搬送されるシートＳＨの画像を読取ユニット３が読み取る際に、その搬送されるシートＳＨに下側から接触して案内する。
【００２１】
なお、本実施例においては、支持面８１Ａを使用して画像が読み取られる対象を原稿と記載し、搬送部４により搬送しながら画像が読み取られる対象をシートと記載する。原稿とシートとは、実質的に同じものであってもよい。
【００２２】
図３に示すように、枠体８Ｗは、熱可塑性樹脂の射出成形等によって製造される樹脂成形品である。枠体８Ｗは、第１プラテンガラス８１及び第２プラテンガラス８２の周縁を枠状に囲っている。後で詳しく説明するが、図７及び図８に示すように、枠体８Ｗにおける第２プラテンガラス８２よりも後側には、開口部１８５とハーネス用開口部１８８と溝部１５０とが形成されている。そして、図９〜図１１に単体で示すホルダ１００が枠体８Ｗの開口部１８５に取り付けられることにより、図３、図５、図６及び図１２〜図１４に示すように、本体部８の上面８Ａにおいて、ホルダ１００が開口部１８５と溝部１５０とを覆うように構成されている。
【００２３】
本体部８の上面８Ａは、換言すると、第１プラテンガラス８１の支持面８１Ａと、第２プラテンガラス８２の読取面８２Ａと、枠体８Ｗにおける支持面８１Ａ及び読取面８２Ａを囲む上面とを含んで構成されている。
【００２４】
開閉部９は、本体部８に対して図３及び図４に示す２つのヒンジ９０、９０によって連結されている。図１及び図３等に示すように、２つのヒンジ９０、９０は、左右方向に間隔を有して配置されている。開閉部９は、２つのヒンジ９０、９０によって、左右方向に延びる開閉軸心Ｘ９周りで揺動可能、かつ昇降可能に本体部８に連結されている。
【００２５】
より詳しくは、図３及び図４に示すように、枠体８Ｗの後端側で、開閉部９に取り付けられた２つのヒンジ９０、９０に対応する位置には、２つの収容部９９、９９が設けられている。一方の収容部９９は、枠体８Ｗにおける支持面８１Ａよりも後側、かつ枠体８Ｗの左端付近において下側に向かって凹んでいる。他方の収容部９９は、枠体８Ｗにおける支持面８１Ａよりも後側、かつ枠体８Ｗの右端付近において下側に向かって凹んでいる。
【００２６】
図４に示すように、各ヒンジ９０、９０は、取付部９５と基部９１とが一体成形された樹脂製部材である。ブロック形状の取付部９５には、軸穴９５Ｈが貫設されている。取付部９５は、開閉部９に設けられた図示しない軸部が軸穴９５Ｈに挿通されることにより、開閉部９に取り付けられて揺動軸心Ｘ９を構成する。
【００２７】
基部９１は、取付部９５の下面に接続し、略角柱状をなして下向きに延びている。基部９１は、取付部９５を下側から支持する。基部９１は、収容部９９に挿通されることにより、上下方向に往復移動可能に本体部８に保持されている。
【００２８】
各ヒンジ９０、９０の基部９１が各収容部９９、９９内でそれぞれ上下に移動し、それに伴って、各ヒンジ９０、９０の取付部９５が揺動軸心Ｘ９とともに上下に移動することにより、開閉部９が本体部８に対して昇降する。
【００２９】
開閉部９は、図１、図２、図４及び図５に示す閉鎖位置では、本体部８の上面８Ａを上方から覆っている。開閉部９は、その前端部側が上方かつ後方に変位するように開閉軸心Ｘ９周りで揺動することにより、図３、図５及び図７に示す開放位置に変位する。開閉部９は、開放位置で本体部８の上面８Ａを露出させる。これにより、ユーザは読取対象の原稿を支持面８１Ａに支持させることができる。
【００３０】
そして、開閉部９は、図１、図２、図４及び図５に示す閉鎖位置に復帰することにより、支持面８１Ａに支持された原稿を覆う。この際、支持面８１Ａに支持された原稿が厚い書籍等であれば、各ヒンジ９０、９０の基部９１が揺動軸心Ｘ９とともに各収容部９９、９９内でそれぞれ上側に移動した状態で、厚い書籍等を上側から覆う。
【００３１】
図２に示すように、読取ユニット３は、本体部８内の上側部分に収容された読取センサ３Ｂ及び図示しない走査機構と、開閉部９内に収容された読取センサ３Ａとを有している。
【００３２】
読取センサ３Ａは、本発明の「第１読取部」の一例である。読取センサ３Ｂは、本発明の「第２読取部」の一例である。読取センサ３Ａ、３Ｂとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが使用される。
【００３３】
図２及び図３に示すように、読取センサ３Ｂは、支持面８１Ａ及び読取面８２Ａの下側に位置している。読取センサ３Ｂは、図示しないフラットケーブルによって、制御基板Ｃ１と電気的に接続されている。図示しない走査機構が稼動することにより、読取センサ３Ｂが支持面８１Ａ及び読取面８２Ａの下側を左右方向に往復動する。支持面８１Ａに支持されている原稿の画像を読み取る場合には、読取センサ３Ｂが支持面８１Ａの下側を移動しながら読み取る。シートＳＨを搬送部４によって搬送しながら画像を読み取る場合には、読取センサ３Ｂを静止読取位置に停止させた状態で読み取る。ここで、静止読取位置は、読取センサ３Ｂが読取面８２Ａに下側から対向する位置である。
【００３４】
図２に示すように、読取センサ３Ａは、開閉部９内における所定の搬送経路Ｐ１の途中に配設されている。読取センサ３Ａには、フラットケーブル５０の一端部５１が接続されている。図２、図５及び図１２に示すように、フラットケーブル５０の中間部５２は、本体部８の枠体８Ｗに形成された開口部１８５に挿通されている。図２に示すように、フラットケーブル５０の他端部５３は、本体部８内に配線されて、制御基板Ｃ１に接続されている。
【００３５】
図１及び図２に示すように、開閉部９の上側かつ右側には、供給トレイ９Ａが設けられている。開閉部９における供給トレイ９Ａよりも下側には、排出トレイ９Ｂが設けられている。
【００３６】
図２に示すように、供給トレイ９Ａは、画像が読み取られるシートＳＨを下側から支持する。供給トレイ９Ａに支持されるシートＳＨの下側を向く面が第１面ＳＨ１であり、上側を向く面が第２面ＳＨ２である。搬送経路Ｐ１は、供給トレイ９Ａから左向きに延びた後、下向きに湾曲し、さらに右向きに延びて、排出トレイ９Ｂに到る。
【００３７】
搬送部４は、搬送経路Ｐ１を規定するガイド面や、搬送経路Ｐ１に沿って配置される搬送ローラ及び分離ローラ等の周知の構成を備えている。また、搬送部４は、搬送用電気部品４Ｍ及びハーネス６０を有している。搬送用電気部品４Ｍは、開閉部９内に設けられ、搬送ローラ及び分離ローラ等を駆動する電動モータや、シートＳＨの位置を検出するセンサ等である。搬送用電気部品４Ｍには、ハーネス６０の一端部６１が接続されている。図２、図５及び図１４に示すように、ハーネス６０の中間部６２は、本体部８の枠体８Ｗに形成されたハーネス用開口部１８８に挿通されている。図２に示すように、ハーネス６０の他端部６３は、本体部８内に配線されて、制御基板Ｃ１に接続されている。
【００３８】
搬送部４は、供給トレイ９Ａに支持される複数枚のシートＳＨを１枚ずつ分離し、搬送経路Ｐ１に沿って順次搬送する。この際、シートＳＨの第１面ＳＨ１が読取センサ３Ａと対面し、第２面ＳＨ２が静止読取位置に停止した読取センサ３Ａと対面しながら、シートＳＨが搬送される。
【００３９】
＜画像読取動作＞
この画像読取装置１では、支持面８１Ａに支持された原稿の画像を読み取る場合、制御基板Ｃ１が読取ユニット３の図示しない走査機構及び読取センサ３Ｂ等を制御する。すると、読取ユニット３において図示しない走査機構が作動し、読取センサ３Ｂを支持面８１Ａの左端縁の下側から右端縁の下側までの間で左右方向に移動させる。これにより、読取センサ３Ｂは、支持面８１Ａに支持された原稿の画像を読み取る。その後、図示しない走査機構は、読み取りを終えた読取センサ３Ｂを読取ユニット３内における右端側から左端側に移動させ、待機位置に復帰させる。
【００４０】
また、この画像読取装置１では、供給トレイ９Ａに支持される複数枚のシートＳＨを搬送部４によって１枚ずつ搬送して画像を読み取る場合、制御基板Ｃ１が図示しない走査機構及び読取センサ３Ｂ等を制御する。すると、読取ユニット３において図示しない走査機構が作動し、読取センサ３Ｂを読取ユニット３内における左端側に移動させ、静止読取位置に停止させる。次に、制御基板Ｃ１が搬送部４及び読取センサ３Ａ、３Ｂ等を制御する。すると、搬送部４が供給トレイ９Ａに支持されるシートＳＨを搬送経路Ｐ１に沿って順次搬送する。そして、シートＳＨが読取センサ３Ａの下側を通過する際、読取センサ３Ａは、その通過するシートＳＨの第１面ＳＨ１の画像を読み取る。また、シートＳＨが静止読取位置にある読取センサ３Ｂの上側を通過する際、読取センサ３Ｂは、その通過するシートＳＨの第２面ＳＨ２の画像を読み取る。読取センサ３Ａが読み取った画像データは、フラットケーブル５０を経由して、制御基板Ｃ１に伝達される。読取センサ３Ｂが読み取った画像データは、図示しないフラットケーブルを経由して、制御基板Ｃ１に伝達される。その後、図示しない走査機構は、読み取りを終えた読取センサ３Ｂを待機位置に復帰させる。
【００４１】
＜開口部、ハーネス用開口部、溝部及びホルダの具体的構成＞
図７に示すように、枠体８Ｗに設けられた２つの収容部９９、９９のうちの左側に位置するものを収容部９９Ｌとすると、開口部１８５は、枠体８Ｗにおける左側の収容部９９Ｌよりも左側に形成されている。図７及び図８に示すように、開口部１８５は、略矩形状の穴である。ハーネス用開口部１８８は、枠体８Ｗにおける開口部１８５よりもさらに左側に形成されている。ハーネス用開口部１８８は、左右方向に長い略矩形状の穴である。開口部１８５の左端側かつ後端側と、ハーネス用開口部１８８の右端側とが接続している。このような開口部１８５及びハーネス用開口部１８８により、略「Ｌ」字状の開口部が枠体８Ｗにおける後端側かつ左端側の角部に形成されている。
【００４２】
図７、図８及び図１２〜図１４に示すように、枠体８Ｗは、本体部８を構成する筐体の上側部分を構成し、読取センサ３Ｂや図示しない走査機構等を収容するスキャナベース１１に組み付けられている。スキャナベース１１の底壁部１１Ｄは、枠体８Ｗに対して所定の間隔を有して下側から対向している。底壁部１１Ｄにおける開口部１８５及びハーネス用開口部１８８の近傍には、立壁１２、１３、１４等を含む複数の立壁やリブが凸設されている。
【００４３】
図７、図１３及び図１４に示すように、立壁１２は、開口部１８５を規定する内周端縁のうち、左側の収容部９９Ｌに隣接する位置で前後方向に延びる端縁１８５Ａに対して下側に位置して、前後方向に略平板状に延在している。立壁１２の上端縁は、端縁１８５Ａの近傍に位置している。
【００４４】
図８及び図１２に示すように、立壁１３は、開口部１８５の内周端縁のうち、端縁１８５Ａの前端から右向きに延びる端縁１８５Ｂに対して下側に位置して、左右方向に略平板状に延在している。立壁１３の上端縁は、端縁１８５Ｂの近傍に位置している。
【００４５】
図８及び図１３に示すように、立壁１４は、開口部１８５の内周端縁のうち、端縁１８５Ｂの左端から後向きに延びる端縁１８５Ｃに対して下側に位置して、前後方向に略平板状に延在している。立壁１４は、本発明の「第３壁部」の一例である。立壁１４の上端縁は、端縁１８５Ｃの近傍に位置している。
【００４６】
図８に示すように、立壁１４を構成している両側面のうちの右側面、すなわち立壁１２と対向する面には、リブ１８２が形成されている。リブ１８２は、立壁１４の右側面から立壁１２に向かって、すなわち、右向きに突出し、かつ上下方向に延びている。また、リブ１８２の下端側は、底壁部１１Ｄに接続しつつ右向きに延びている。リブ１８２は、本発明の「第２壁部」の一例である。
【００４７】
図１２、図１３及び図１４に示すように、底壁部１１Ｄには、連通穴１１Ｈが形成されている。連通穴１１Ｈは、底壁部１１Ｄにおける立壁１２、１３、１４に囲まれた領域内であって、本体部８の後面の近傍で、底壁部１１Ｄを上下方向に貫通している。
【００４８】
図１２に示すように、底壁部１１Ｄには、挿通穴１５が形成されている。挿通穴１５は、底壁部１１Ｄにおける立壁１２、１３、１４に囲まれた領域内であって、立壁１３とリブ１８２の下端側とに前後から挟まれた位置で、底壁部１１Ｄを上下方向に貫通している。
【００４９】
図６、図７、図８及び図１３に示すように、溝部１５０は、本体部８の上面８Ａにおける開口部１８５を囲む位置に設けられ、上面８Ａに対して下向きに凹んでいる。溝部１５０は、本体部８の上面８Ａに液体が垂れた場合に、その液体を溜めることが可能に形成されている。より詳しくは、溝部１５０は、枠体８Ｗに凹設された断面略矩形状の溝である。溝部１５０は、略Ｃ字状に屈曲して、開口部１８５を前側、左側及び右側から囲っている。
【００５０】
図６及び図７に示すように、溝部１５０には、第１端部１５１と第２端部１５２とが形成されている。第１端部１５１は、溝部１５０における開口部１８５を左側から囲う部分の後端部である。第１端部１５１は、開口部１８５とハーネス用開口部１８８との接続部の近傍に位置して、本体部８内に向かって開放されている。第１端部１５１は、本発明の「開放部」の一例である。第２端部１５２は、溝部１５０における開口部１８５を右側から囲う部分の後端部である。第２端部１５２は、溝部１５０を左右方向に仕切る壁によって閉じられている。
【００５１】
図７及び図８に示すように、枠体８Ｗにおける開口部１８５の周辺には、被係合部１８３、１８４が設けられている。被係合部１８３は、開口部１８５の端縁１８５Ｃにおける第１端部１５１よりも後側に位置する部分に形成されている。被係合部１８４は、開口部１８５の端縁１８５Ａにおける第２端部１５２よりも後側に位置する部分に形成されている。
【００５２】
次に、ホルダ１００について説明する。以下の説明では、前後方向、左右方向及び上下方向について、開口部１８５に取り付けられた状態のホルダ１００の姿勢を基準とする。図９〜図１１に示す前後方向、左右方向及び上下方向も、開口部１８５に取り付けられた状態のホルダ１００の姿勢を基準として表示する。
【００５３】
図９〜図１１に示すように、ホルダ１００は、蓋部１０９、第１壁部１０１、係合片１０３、１０４、第１保持部１１０、受け部１１９及び第２保持部１２０が形成されてなる樹脂製部材である。第１壁部１０１及び係合片１０３は、本発明の「案内部」の一例である。
【００５４】
蓋部１０９は、略矩形状の平板形状とされ、その左側かつ後側の角部には左方向及び後ろ方向に突出する小片が形成されている。蓋部１０９の上面の全面は、前後方向及び左右方向に延在する平坦面１００Ｆとされている。第１壁部１０１は、蓋部１０９の下面から下向きに突出し、かつ前後方向に平板状に延在している。第１壁部１０１が延設される前後方向は、本発明の「揺動軸心と交差する第１方向」の一例である。第１壁部１０１は、揺動軸心Ｘ１から前方に離間した位置にある端部に、上下方向に延びる前端縁１０１Ａを有している。前端縁１０１Ａは、本発明の「第１壁部における揺動軸心から第１方向に離間した位置にある端部に含まれ、上下方向に延びる端縁」の一例である。
【００５５】
係合片１０３は、蓋部１０９の左端縁から下向きに突出している。係合片１０３の下端には、左方向に突出する鍵爪が形成されている。係合片１０３は、その鍵爪を左右方向に変位させるように弾性変形可能となっている。係合片１０４は、蓋部１０９の右端縁から下向きに突出している。係合片１０４の下端には、右方向に突出する鍵爪が形成されている。係合片１０４は、その鍵爪を左右方向に変位させるように弾性変形可能となっている。
【００５６】
第１保持部１１０は、蓋部１０９の下面における第１壁部１０１よりも右側となる位置から下向きに突出している。第１保持部１１０は、上下方向及び左右方向に平板状に延在している。第１保持部１１０の下端側は、後向きに湾曲している。第１保持部１１０の左端縁は、第１壁部１０１の右側面に接続している。
【００５７】
受け部１１９は、第１壁部１０１の右側面における下端側から右向きに略ブロック状に突出している。受け部１１９の上面は、蓋部１０９の下面に対して所定の間隔を有して対向し、前後方向及び左右方向に延在する平坦面とされている。
【００５８】
第２保持部１２０は、第１壁部１０１の左側面における係合片１０３よりも後側となる位置から左向きに突出しつつ上下方向に延びている。第２保持部１２０は、保持片１２１、１２２、１２３を有している。保持片１２１、１２２、１２３は、第２保持部１２０の下端側で上下方向に互いに間隔を有して、後向きに凸設されている。
【００５９】
ホルダ１００を上方から開口部１８５に対して押し込むことにより、図１３に示すように、ホルダ１００側の係合片１０３が枠体８Ｗ側の被係合部１８３に係合する。図示は省略するが、ホルダ１００側の係合片１０４が枠体８Ｗ側の被係合部１８４に係合する。こうして、ホルダ１００が開口部１８５に着脱可能に取り付けられる。
【００６０】
図５及び図６に示すように、ホルダ１００が開口部１８５に取り付けられた状態で、蓋部１０９の平坦面１００Ｆは、本体部８の上面８Ａと略面一に形成され、開口部１８５の殆ど全体を覆うとともに、溝部１５０の全体を覆う。なお、平坦面１００Ｆは、ハーネス用開口部１８８は、殆ど覆わない。また、開口部１８５の後側と平坦面１００Ｆとの間には、フラットケーブル５０の中間部５２を通過させるための隙間が形成される。
【００６１】
図１２に示すように、第１保持部１１０には、フラットケーブル５０の中間部５２の所定の箇所が予め両面テープ１１０Ｔによって貼り付けられている。ホルダ１００が開口部１８５に取り付けられた状態で、第１保持部１１０は、フラットケーブル５０の中間部５２に下向きの湾曲部分５２Ｃを形成させた状態で中間部５２を保持する。フラットケーブル５０の他端部５３は、挿通穴１５を通過して、制御基板Ｃ１に接続される。
【００６２】
受け部１１９は、開閉部９が本体部８に対して上昇していない状態で、フラットケーブル５０の湾曲部分５２Ｃに下側から当接し、フラットケーブル５０の湾曲部分５２Ｃの位置を安定させている。開閉部９が本体部８に対して上昇すると、フラットケーブル５０の中間部５２が開閉部９に追従する。すると、図１２に二点鎖線で示すように、フラットケーブル５０の湾曲部分５２Ｃも上昇して受け部１１９から離間する。
【００６３】
図１４に示すように、第２保持部１２０の保持片１２１、１２２、１２３には、ハーネス６０の中間部６２の所定箇所が略Ｓ次状に屈曲する状態で保持されている。ホルダ１００が開口部１８５に取り付けられた状態で、第２保持部１２０は、ハーネス６０の中間部６２に弛みを確保した状態で中間部６２を保持する。ハーネス６０の他端部６３は、連通穴１１Ｈを通過して、制御基板Ｃ１に接続される。開閉部９が本体部８に対して上昇すると、図１４に二点鎖線で示すように、ハーネス６０の中間部６２が上昇して開閉部９に追従する。保持片１２１、１２２、１２３によって保持されているハーネス６０の中間部６２は、その位置がほぼ固定された状態となっており、必要以上にハーネス６０が上昇することを抑制している。
【００６４】
図１３に示すように、ホルダ１００が開口部１８５に取り付けられた状態で、第１壁部１０１及び係合片１０３は、溝部１５０の開放されている第１端部１５１に隣接する位置で下向きに延びて、溝部１５０に溜まる液体を下方に案内可能となっている。第１壁部１０１及び係合片１０３は、揺動軸心Ｘ９が延びる方向である左右方向において、フラットケーブル５０を挟んで、左側のヒンジ９０及び収容部９９Ｌとは反対側に配置されている。
【００６５】
第１壁部１０１は、溝部１５０の第１端部１５１とフラットケーブル５０との間を遮る位置で下向きに延在している。図１２に示すように、底壁部１１Ｄ側のリブ１８２は、前側から、すなわち、揺動軸心Ｘ９から離間する側から第１壁部１０１の前端縁１０１Ａに対向している。図１３に示すように、立壁１４は、第１壁部１０１の左側面に左側から対向している。
【００６６】
＜作用効果＞
実施例の画像読取装置１では、図１２に示すように、ホルダ１００の第１保持部１１０がフラットケーブル５０の中間部５２に下向きの湾曲部分５２Ｃを形成させた状態で中間部５２を保持することによって、フラットケーブル５０が開閉部９の揺動に追従するための弛みを確保できるので、フラットケーブル５０が開閉部９の揺動を妨げるという不具合を抑制できる。
【００６７】
また、この画像読取装置１では、図６〜図８に示すように、本体部８の上面８Ａを構成する枠体８Ｗに形成された開口部１８５を囲む位置に溝部１５０が設けられ、溝部１５０が本体部８の上面８Ａに対して下向きに凹んでいる。溝部１５０は、略Ｃ字状に屈曲して、開口部１８５を前側、左側及び右側から囲っている。このため、本体部８の上面８Ａに対して液体がこぼれ、その液体が開口部１８５の近傍に広がる場合でも、液体が開口部１８５とホルダ１００の蓋部１０９との隙間から本体部８内に浸入する前に、溝部１５０に溜めることができる。
【００６８】
したがって、実施例の画像読取装置１では、本体部８の上面８Ａに広がる液体が開口部１８５とホルダ１００との隙間から、開口部１８５に挿通されるフラットケーブル５０の中間部５２に到達することを抑制できる。その結果、この画像読取装置１では、本体部８の上面８Ａに広がる液体がフラットケーブル５０を伝って本体部８内の制御基板Ｃ１に到達し、液体に弱い部品である制御基板Ｃ１が故障をすることを防止できる。
【００６９】
さらに、この画像読取装置１では、図１２に示すように、溝部１５０の一方の端部である第１端部１５１は、本体部８内に向かって開放された状態で形成されている。そして、第１壁部１０１及び係合片１０３は、第１端部１５１に隣接する位置から下向きに延びている。これにより、この画像読取装置１では、図１３に矢印Ｆ１で示すように、溝部１５０に溜まる液体が溝部１５０から溢れ出る場合であっても、その液体が溝部１５０の第１端部１５１から、第１壁部１０１及び係合片１０３を伝わり、本体部８内の下方に案内される。このため、この画像読取装置１では、溝部１５０から溢れる液体がフラットケーブル５０に近づく方向に浸入することを抑制できる。
【００７０】
また、この画像読取装置１では、図１３に示すように、ホルダ１００に形成された第１壁部１０１は、溝部１５０の開放されている第１端部１５１とフラットケーブル５０との間を遮る位置で下向きに延在し、その左側面によって、第１端部１５１から垂れる液体を下向きに案内する。これにより、この画像読取装置１では、第１端部１５１から垂れる液体が第１壁部１０１に遮られてフラットケーブル５０に到達し難い。
【００７１】
さらに、この画像読取装置１では、第１壁部１０１の左側面を伝って下方に垂れる液体が揺動軸心Ｘ９から離間する方向に、すなわち、前側に移動して、図１２に示す第１壁部１０１の前端縁１０１Ａに到達しても、図８及び図１２に示すリブ１８２によって、その液体を受けて下向きに案内することができる。また、第１壁部１０１の左側面に左側から対向する立壁１４も、第１壁部１０１の左側面を伝って下方に垂れる液体を下向きに案内することができる。
【００７２】
また、この画像読取装置１では、図１３に示すように、ホルダ１００に形成された係合片１０３は、溝部１５０の開放されている第１端部１５１に隣接する位置で下向きに突出し、案内部として機能する。このため、この画像読取装置１では、係合片１０３が案内部を兼ねるので、部品点数を削減できる。
【００７３】
さらに、この画像読取装置１では、第１壁部１０１及び係合片１０３は、揺動軸心Ｘ９方向において、フラットケーブル５０を挟んで左側のヒンジ９０及び収容部９９Ｌとは反対側に配置されている。これにより、この画像読取装置１では、本体部８における左側のヒンジ９０及び収容部９９Ｌ周辺の混み入った領域から離間する位置で、第１壁部１０１及び係合片１０３によって、第１端部１５１から溢れる液体を下方に向けて好適に案内できる。
【００７４】
また、この画像読取装置１では、図１２に示すように、ホルダ１００に形成された第１保持部１１０が中間部５２に下向きの湾曲部分５２Ｃを形成させた状態でフラットケーブル５０の中間部５２を保持することにより、フラットケーブル５０の中間部５２に液体が到達するとしても、その液体が下向きの湾曲部分５２Ｃに溜まり、さらに受け部１１９の上面に伝わって、連通穴１１Ｈから下方に垂れる。その結果、この画像読取装置１では、フラットケーブル５０の他端部５３にその液体が伝わることを抑制できる。よって、フラットケーブル５０の他端部５３が接続される制御基板Ｃ１に液体が到達することを抑制できる。
【００７５】
さらに、この画像読取装置１では、図５及び図６に示すように、ホルダ１００の蓋部１０９に形成された平坦面１００Ｆホルダ１００及び溝部１５０が本体部８の上面８Ａ側において目立たなくなるので、装置の外観品位が向上する。
【００７６】
また、この画像読取装置１は、ホルダ１００に形成された第２保持部１２０がハーネス６０の中間部６２の一部を保持することにより、ハーネス６０が開閉部９の揺動に追従可能な弛みを確保できるので、ハーネス６０が開閉部９の揺動を妨げるという不具合を抑制できる。また、第２保持部１２０をホルダ１００とは別の部材として設ける場合と比較して、部品点数を削減でき、組み付け作業も簡易化できる。
【００７７】
以上において、本発明を実施例に即して説明したが、本発明は上記実施例に制限されるものではなく、その趣旨を逸脱しない範囲で適宜変更して適用できることはいうまでもない。
【００７８】
溝部は、開口部の一部を囲っていてもよいし、開口部の全周を囲っていてもよい。溝部には、開放された端部の代わりに、孔が形成されていてもよい。開放される端部の位置、数も上記実施例には限定されない。また、案内部は、本体部に設けられていてもよい。例えば、溝部の底部に貫設された孔に接続して下向きに延びる樋であってもよい。また、案内部は、本体部の外側面に形成されていてもよい。
【００７９】
さらに、上記実施例においては、フラットケーブル５０が読取センサ３Ａに接続される場合について説明したが、この構成には限定されない。フラットケーブルは、開閉部側に設けられる他の電気部品に接続されていてもよい。例えば、操作パネルが開閉部側に設けられる場合、操作パネルからのフラットケーブルが上記実施例のように、ホルダによって保持されるように構成されていてもよい。
【産業上の利用可能性】
【００８０】
本発明は、画像読取装置又は複合機等に利用可能である。
【符号の説明】
【００８１】
１…画像読取装置、８…本体部、Ｘ９…揺動軸心、９０…ヒンジ
８Ａ…本体部の上面、９…開閉部、Ｐ１…搬送経路、４…搬送部
ＳＨ…シート、ＳＨ１…シートの第１面、ＳＨ２…シートの第２面
３Ａ…第１読取部（読取センサ）、３Ｂ…第２読取部（読取センサ）
１８５…開口部、５０…フラットケーブル、５１…フラットケーブルの一端部
５２…フラットケーブルの中間部、５３…フラットケーブルの他端部
１００…ホルダ、１５０…溝部、１５１…開放部（第１端部）
１８５Ａ、１８５Ｂ、１８５Ｃ…開口部の周縁（端縁）
１０１、１０３…案内部（１０１…第１壁部、１０３…係合片）
１０１Ａ…第１壁部の端縁（前端縁）、１８２…第２壁部（リブ）
１４…第３壁部（立壁）、１８３…被係合部
５２Ｃ…フラットケーブルの湾曲部分、１１０…第１保持部
１１９…受け部、１００Ｆ…ホルダの平坦面、４Ｍ…搬送用電気部品
６０…ハーネス、６１…ハーネスの一端部、６２…ハーネスの中間部
６３…ハーネスの他端部、１２０…第２保持部、８１Ａ…支持面
【図１】
0006413839.tif 000002
【図２】
0006413839.tif 000003
【図３】
0006413839.tif 000004
【図４】
0006413839.tif 000005
【図５】
0006413839.tif 000006
【図６】
0006413839.tif 000007
【図７】
0006413839.tif 000008
【図８】
0006413839.tif 000009
【図９】
0006413839.tif 000010
【図１０】
0006413839.tif 000011
【図１１】
0006413839.tif 000012
【図１２】
0006413839.tif 000013
【図１３】
0006413839.tif 000014
【図１４】
0006413839.tif 000015